【手続補正書】
【提出日】平成21年7月6日(2009.7.6)
【手続補正１】
【補正対象書類名】特許請求の範囲
【補正対象項目名】全文
【補正方法】変更
【補正の内容】
【特許請求の範囲】
【請求項１】
表示物を備える支持部材と、
上記支持部材が回転できるように載置された台座と、を備えると共に、
上記支持部材は、上方に突出する中央部材を有し、
上記中央部材の下面に形成された装着部分が、上記台座の上面に形成された支持部に嵌合されるよう構成されていることを特徴とする製造品。
【請求項２】
請求項１に記載の製造品において、
前記台座に対して取外し可能に保持される保持部材をさらに備えると共に、
前記支持部材は、前記台座と前記保持部材との間に捕捉されることを特徴とする製造品。
【請求項３】
請求項２に記載の製造品において、
前記支持部材は、前記台座および前記保持部材により保持される外側舌部を有することを特徴とする製造品。
【請求項４】
請求項３に記載の製造品において、
前記保持部材は、環形状部材を有すると共に、
前記保持部材の環状部材の内周は、前記外側舌部の外周よりも小さいことを特徴とする製造品。
【請求項５】
請求項４に記載の製造品において、
前記保持部材は、前記環状部材の外縁から少なくとも下側に伸びる外側スカート部を有し、
上記外側スカート部の下面が前記台座の上面に当接することを特徴とする製造品。
【請求項６】
請求項２から請求項５のいずれか１項に記載の製造品において、
前記保持部材は、少なくとも１つの保持フィンガーを有すると共に、
前記台座は、少なくとも１つの凹部を有し、
上記保持フィンガーは、上記凹部と係合するよう構成されていることを特徴とする製造品。
【請求項７】
請求項６に記載の製造品において、
前記保持フィンガーは、垂直突出部および水平突出部を有し、
前記凹部は、対応する前記保持フィンガーが有する水平突出部が貫通する第１の凹部と、
前記保持フィンガーを保持する上記水平突出部に係合する第２の凹部と、を有し、
当該第１の凹部の幅は、当該第２の凹部の幅よりも大きいことを特徴とする製造品。
【請求項８】
請求項７に記載の製造品において、
前記第２の凹部は、前記台座の上面と面一の上面を有する水平突出フランジにより形成され、
当該水平突出フランジは、前記台座の厚みよりも薄いことを特徴とする製造品。
【請求項９】
請求項７または請求項８に記載の製造品において、
前記垂直突出部は、前記外側スカート部の下面から突出し、
前記第１の凹部は、前記水平突出部を収容できるように構成され、
前記第２の凹部は、前記保持フィンガーを捕捉するために前記保持フィンガーの前記水平突出部と係合するように構成されたことを特徴とする製造品。
【請求項１０】
請求項８に記載の製造品において、
前記保持フィンガーの表面または前記水平突出フランジの外面は、ロック突起を有し、
上記ロック突起に対応する領域には、上記ロック突起を収容する凹みを有することを特徴とする製造品。
【請求項１１】
請求項１から請求項１０のいずれか１項に記載の製造品において
前記台座は、前記保持部材の外縁よりも外側に突き出る水平方向突起を有することを特徴とする製造品。
【請求項１２】
請求項１から請求項１１のいずれか１項に記載の製造品において
少なくとも前記台座および前記保持部材の一方は、目盛指標およびゲーム関連目盛の一方を有すると共に、
前記支持部材は、前記目盛指標およびゲーム関連目盛のうち前記台座および前記保持部材が有していない方を有し、
前記支持部材が、少なくとも前記台座および前記保持部材のいずれか一方に対して回転することで上記目盛指標が上記ゲーム関連目盛の一部を指し示すことを特徴とする製造品。
【請求項１３】
請求項２から請求項１２のいずれか１項に記載の製造品において、
前記台座の外周縁から離間して、前記台座の上面に弓形部が配置され、
当該弓形部は、前記保持部材にかけられた応力を前記支持部材に及ぼすことなく受け止め、かつ、前記支持部材が前記台座の上で回転するのを妨げない位置に形成されていることを特徴とする製造品。
【請求項１４】
請求項１から請求項１３のいずれか１項に記載の製造品において、
前記中央部材の上面には、前記表示物が配置されると共に、前記支持部材は、前記中央部材の外側に伸びる中間リング部分を有することを特徴とする製造品。
【請求項１５】
請求項１から請求項１４のいずれか１項に記載の製造品において
前記装着部分が前記支持部に嵌合された状態では、
前記装着部分を除く前記支持部材の最下面は、上記台座の上面に接しないことを特徴とする製造品。
【請求項１６】
請求項１から請求項１５のいずれか１項に記載の製造品において
前記支持部は、隆起プラットホームおよび当該隆起プラットホーム上から延伸する略円筒形の支柱を有し、
前記装着部分は、上記支柱と嵌合する軸受筒として構成されることを特徴とする製造品。
【請求項１７】
請求項１から請求項１６のいずれか１項に記載の製造品において
前記台座および前記支持部材の少なくとも一方は、低摩擦性の樹脂から形成されることを特徴とする製造品。
【請求項１８】
請求項１から請求項１７のいずれか１項に記載の製造品において、
前記装着部分の最下縁部は、テーパー状となっていることを特徴とする製造品。
【請求項１９】
請求項１から請求項１８のいずれか１項に記載の製造品を備えることを特徴とするゲームピース。
【手続補正２】
【補正対象書類名】明細書
【補正対象項目名】００２０
【補正方法】変更
【補正の内容】
【００２０】
図１に示すように、支持部材２５が台座部材１０ａ上に装着されるとき、支持部材２５、およびその上の人形本体１３０の重量は、台座部材１０ａの上面に当接した套管２２の最下縁部２４によって支持される。支持部材２５の低摩擦面、および台座部材１０は、支持部材２５が、台座部材１０ａの上面に支持された套管２２の最下縁部上で自由に回転することを可能にする。
【手続補正３】
【補正対象書類名】明細書
【補正対象項目名】００２８
【補正方法】変更
【補正の内容】
【００２８】
上記で説明したように、それぞれの保持フィンガー２００は、台座部材１０ａに形成されたそれぞれのスロット、または凹部２２０と係合するように形成され、配置されている。図５は、図４の保持部材３２と係合するように適合された台座部材１０ａの底面図を示している。特に、図５は、台座部材１０の底面の詳細な図を示している。図示のように、台座部材１０ａは、複数のスロット２２０を含んでおり、複数のスロット２２０のそれぞれが第一の部分２３０、および第二の部分２４０を含んでいる。第一の部分２３０の幅は、第二の部分２４０の幅よりも大きく、かつ保持フィンガー２００の一つが通過可能となるように採寸されている。第二の部分２４０は、保持フィンガー２００の外側に突出した部分２０２の幅が、第二の部分２４０よりも大きいように採寸されている。
【手続補正４】
【補正対象書類名】明細書
【補正対象項目名】００３０
【補正方法】変更
【補正の内容】
【００３０】
図４に示される保持部材３０が、図５に示される台座部材１０ａと一緒に使用されるとき、各保持フィンガー２００は、先ず、台座部分１０ａにおけるそれぞれのスロットまたは凹部２２０の第一の部分２３０の中に挿入される。次いで、保持部材３０が台座部材１０ａに対して回転され、保持フィンガー２００のそれぞれが、台座部材１０ａにおけるそれぞれのスロットまたは凹部２２０の第二の部分２４０の中に摺動される。この方法において、各保持フィンガー２００の外側に突出した部分２０２は、第二のスロット部分２４０を形成するそれぞれのフランジ２５０によって捕捉されて、それぞれの外側に突出した部分２０２の上面が、それぞれのフランジ２５０に接触するようになっている。より狭い幅を有する第二の部分２４０は、保持フィンガー２００が台座部材１０ａから外れるのを防止する。更に、台座部材１０ａの厚さに比較して、フランジ２５０の厚さが小さいことにより、保持フィンガーの外側部分２０２は、フランジ２５０の長さに沿って形成されたノッチまたはインデントの中に収容可能となる。この図示されたフランジ２５０の構成は、フランジ２５０に捕捉された保持フィンガー２００の外側部分２０２が台座部材１０ａの底面から外側に突出するのを妨げ、ゲームピースが組立て状態にあるときには、台座部材１０ａの底面は水平となる。
【手続補正５】
【補正対象書類名】明細書
【補正対象項目名】００３５
【補正方法】変更
【補正の内容】
【００３５】
図６に示した保持部材３２、および台座部材１０ｂが一緒に使用されるとき、台座部材１０ｂは、保持フィンガー２００ａの各々が、台座部材１０ｂのそれぞれの凹部２２２における第一の部分２３２の中に挿入されるように、保持部材３２に対して位置合せがなされる。次いで保持部材３２が台座部材１０ｂに対して回転され、保持フィンガー２００ａの各々が、それぞれの凹部の第二の部分２４２によって捕捉される。
【手続補正６】
【補正対象書類名】明細書
【補正対象項目名】００３６
【補正方法】変更
【補正の内容】
【００３６】
図７は、保持部材３２および台座部材１０ｂの間に支持部材２５を捕捉するように相互に結合された、図６における保持部材３２および台座部材１０ｂの横断面図を概略的に示している。図７に示される支持部材２５の構成は、図１〜図３に関して上述した支持部材２５の構成と実質的に同じである。図７から分かるように、保持部材３２の内側リング部分１８２が支持部材２５の外側舌部１２０を捕捉して、内側リング部分１８２の下面の少なくとも一部が、外側舌部１２０の上面と隣接関係で配置されるようになっている。図７の断面図はまた、保持部材３２の壁部分１９２から、内側突出部２０４へと下方に伸びた保持フィンガー２００ａを示している（図６を参照）。図７に示すように、内側突出部２０４は、台座部材１０ｂにおける外側突出フランジ２５２の下面に接触する。こうして、フランジ２５２は、保持部材３２が台座部材１０ｂから外れるのを防止する。
【手続補正７】
【補正対象書類名】明細書
【補正対象項目名】００３７
【補正方法】変更
【補正の内容】
【００３７】
特定の実施形態において、外側突出フランジ２５２はさらに、それぞれの保持フィンガー２００ａに接触することになる表面上に、ロック突起２５４を含んでいてもよい。図８は、図６において円「Ａ」で囲んだ凹部２２２の拡大図を示しており、フランジ２５２の外側を向いた表面上に形成されたロック突起２５４の一例を図示している。他の実施形態において、突起２５４はフランジ２５２の下面に形成されてもよい。図示のように、ロック突起２５４は丸みを帯びた形状を有しており、保持部材３２が台座部材１０ｂに対して回転するときには、それぞれの保持フィンガー２００ａがその上を通過することを可能とするようになっている。ロック突起２５４は、保持部材３２が台座部材１０ｂと係合されるときに、フランジ２５２、および各保持フィンガー２００ａの接触表面間の抵抗または摩擦を増大するように機能する。
【手続補正８】
【補正対象書類名】明細書
【補正対象項目名】００４０
【補正方法】変更
【補正の内容】
【００４０】
図７を参照すると、特定の実施形態において、台座部材１０ｂは、該台座部材１０ｂの上面に形成された支柱１０ｂを取囲む隆起したプラットホーム１１を含む。図７に示した組立て状態において、この隆起したプラットホーム１１は、套管２２の最下縁２４を支持する。図７に示す構成例において、套管２２の長さは、その最下縁２４が中間リング部分１１０の最下面、すなわち外側舌部１２０の最下縁よりも突き出ないようにする。このような構成にすれば、支持部材２５は、実質的に平らな面上に置かれたときに、套管の最下縁２４だけでなく、少なくとも外側舌部１２０の最下縁によって支持される。套管の長さをその最下縁２４と外側舌部１２０の最下縁が揃うような長さにした構成において、支持部材２５は、実質的に平らな面上に置かれたとき、外側舌部１２０の最下縁と套管２２の最下縁２４の両方で支持される。このような構成により、ユーザが支持部材２５の上に人形本体（明瞭化、簡素化のために図示しない）を陳列したときの支持部材２５の支持とバランスが強化される。図７に示すように、支持部材２５が保持部材３２および台座部材１０ｂによって捕捉されるとき、中間リング部分１１０の上面（図１および図２に関して先に説明したゲーム関連目盛を入れることができる）は、好ましくは内側リング部分１８２の上面（前述の目盛指標を入れることができる）と揃うものとする。このような構成にすれば、ゲーム関連目盛の攻撃パラメータが目盛指標に合っているかどうかの判定をユーザが容易に行うことができる。また、図７に示すように、支持部材２５の外側舌部１２０の下面が台座部材１０ｂの上面より上に持上げられて、中間リング部分１１０が台座部材１０ｂの上面に接触しない結果となる。このような構造は、支持部材２５が台座部材１０ｂに対して回転するときに、台座部材１０ｂと支持部材２５との間の摩擦を最小化する。もう一方の構成例においては、套管の最下縁２４が中間リング部分１１０の最下面、即ち外側舌部１２０の最下面から突き出し、かつ、支持部材２５が図１および図２に示した台座部材１０ａと共に使用されるときに、中間リング部分１１０の最下面、即ち、外側舌部１２０が台座部材１０ｂの上部表面の僅か上まで持上げられるように、支持部材２５における套管２２の長さを調節してもよい。